(57)【要約】【課題】本発明の実施例は、光学結像分野に関し、レンズモジュールを提供する。【解決手段】当該レンズモジュールは、収容空間を有する鏡筒と、前記収容空間に収容されるレンズ群と遮光板とを備え、前記レンズ群は、第１レンズを備え、前記第１レンズは、前記遮光板に隣接するように設けられ、前記レンズモジュールは、前記第１レンズを前記遮光板に固定する第１位置決め構造を更に備え、前記第１位置決め構造は、前記第１レンズと前記遮光板とのうちの一方に設けられる第１位置決め部材、および、前記第１レンズと前記遮光板とのうちの他方に設けられる第１固定保持部材を備え、前記第１固定保持部材は、前記第１位置決め部材を固定保持する。本発明の実施形態に係るレンズモジュールは、レンズと遮光板との間の安定性および信頼性が強い。【選択図】図１
2020021058.tif 000002
【特許請求の範囲】
【請求項１】
収容空間を有する鏡筒と、前記収容空間に収容されるレンズ群と遮光板とを備えるレンズモジュールにおいて、前記レンズ群が第１レンズを備え、前記第１レンズが前記遮光板に隣接するように設けられるレンズモジュールであって、
前記第１レンズは、結像のための第１光学部と、前記第１光学部の周囲を取り囲む第１固定部とを備え、前記レンズモジュールは、前記第１レンズを前記遮光板に固定する第１位置決め構造を更に備え、前記第１位置決め構造は、前記第１固定部と前記遮光板とのうちの一方に設けられる第１位置決め部材と、前記第１固定部と前記遮光板とのうちの他方に設けられる第１固定保持部材とを備え、前記第１固定保持部材は、前記第１位置決め部材を固定保持することを特徴とするレンズモジュール。
【請求項２】
前記第１固定部は、前記遮光板に近接する第１表面を備え、前記遮光板は、前記第１表面に対向して設けられる第１遮光面を備え、前記第１位置決め部材は、前記第１遮光面と前記第１表面とのうちの一方に設けられ、前記第１固定保持部材は、前記第１遮光面と前記第１表面とのうちの他方に設けられていることを特徴とする請求項１に記載のレンズモジュール。
【請求項３】
前記第１位置決め部材は、突起であり、前記第１固定保持部材は、前記突起に互いに係合する凹溝であることを特徴とする請求項１に記載のレンズモジュール。
【請求項４】
前記突起は、前記第１固定部に設けられ、前記突起は、前記第１固定部に接続される接続部と、前記接続部の前記第１固定部から離間する端に位置する係止保持部と、前記接続部と前記係止保持部とを接続する中間部とを備え、
前記レンズモジュールの光軸に垂直な方向に、前記係止保持部の幅は、前記中間部の幅より大きいことを特徴とする請求項３に記載のレンズモジュール。
【請求項５】
前記凹溝は、前記遮光板の表面に近接する溝開口部と、前記溝開口部の前記遮光板の表面から離間する端に位置する溝底部と、前記溝開口部と前記溝底部とを接続する溝中部とを備え、前記係止保持部は、前記溝底部に収容され、前記接続部は、前記溝開口部に収容され、前記中間部は、前記溝中部に収容され、
前記レンズモジュールの光軸に垂直な方向に、前記溝底部と前記係止保持部との幅は、何れも前記溝中部の幅より大きいことを特徴とする請求項４に記載のレンズモジュール。
【請求項６】
前記突起は、前記遮光板に設けられ、前記突起は、前記遮光板に接続される接続部と、前記接続部の前記遮光板から離間する端に位置する係止保持部と、前記接続部と前記係止保持部とを接続する中間部とを備え、
前記レンズモジュールの光軸に垂直な方向に、前記係止保持部の幅は、前記中間部の幅より大きいことを特徴とする請求項３に記載のレンズモジュール。
【請求項７】
前記凹溝は、前記第１固定部の表面に近接する溝開口部と、前記溝開口部の前記第１固定部の表面から離間する端に位置する溝底部と、前記溝開口部と前記溝底部とを接続する溝中部とを備え、前記係止保持部は、前記溝底部に収容され、前記接続部は、前記溝開口部に収容され、前記中間部は、前記溝中部に収容され、
前記レンズモジュールの光軸に垂直な方向に、前記溝底部と前記係止保持部との幅は、何れも前記溝中部の幅より大きいことを特徴とする請求項６に記載のレンズモジュール。
【請求項８】
前記レンズ群は、第２レンズを更に備え、前記第２レンズと前記第１レンズとは、前記遮光板の両側にそれぞれ位置し、前記第２レンズは、結像のための第２光学部と、前記第２光学部の周囲を取り囲む第２固定部とを備え、前記レンズモジュールは、前記第２レンズを前記遮光板に固定する第２位置決め構造を更に備え、前記第２位置決め構造は、前記第２固定部と前記遮光板とのうちの一方に設けられる第２位置決め部材と、前記第２固定部と前記遮光板とのうちの他方に設けられる第２固定保持部材とを備え、前記第２固定保持部材は、前記第２位置決め部材を固定保持することを特徴とする請求項１に記載のレンズモジュール。
【請求項９】
前記第２固定部は、前記遮光板に近接する第２表面を備え、前記遮光板は、前記第２表面に対向して設けられる第２遮光面を備え、前記第２位置決め部材は、前記第２遮光面と前記第２表面とのうちの一方に設けられ、前記第２固定保持部材は、前記第２遮光面と前記第２表面とのうちの他方に設けられていることを特徴とする請求項８に記載のレンズモジュール。
【請求項１０】
前記第２位置決め部材は、突起であり、前記第２固定保持部材は、前記突起に互いに固定係合する凹溝であることを特徴とする請求項８に記載のレンズモジュール。
【発明の詳細な説明】
【技術分野】
【０００１】
本発明の実施例は、光学結像分野に関し、特にレンズモジュールに関する。
【背景技術】
【０００２】
科学技術の継続的な発展に伴い、電子機器は、知能化へ発展しつつあり、デジタルカメラに加えて、タブレットＰＣ、携帯電話などの携帯型電子機器もレンズモジュールが配備されてユーザの随時撮影の要求を満たさせる。しかし、科学技術の発展につれて、レンズモジュールの結像品質に対する利用者の要求もますます高まる。従来技術のレンズモジュールは、一般的にレンズ群および鏡筒の２つの部分を備え、レンズ群が鏡筒内に設けられ、レンズ群におけるレンズとレンズとの間に遮光板が設けられている。
【０００３】
本発明者らは、レンズと遮光板の間の固定の安定性および信頼性が直接全レンズモジュールの結像品質に影響を与えることを見出した。しかし、従来技術のレンズモジュールでは、レンズと遮光板とが一般的に押し付けによって固定されるが、このような固定方式により、レンズと遮光板とが相対変位を発生しやすく、レンズと遮光板の間の安定性および信頼性の低下を引き起こしてしまう。
【発明の概要】
【発明が解決しようとする課題】
【０００４】
本発明の実施形態の目的は、レンズと遮光板の間の安定性および信頼性が強くなるレンズモジュールを提供することにある。
【課題を解決するための手段】
【０００５】
上記技術問題を解決すべく、本発明の実施形態は、レンズモジュールを提供する。当該レンズモジュールは、収容空間を有する鏡筒と、前記収容空間に収容されるレンズ群と遮光板とを備え、前記レンズ群が第１レンズを備え、前記第１レンズが前記遮光板に隣接するように設けられ、前記第１レンズは、結像のための第１光学部と、前記第１光学部の周囲を取り囲む第１固定部とを備え、前記レンズモジュールは、前記第１レンズを前記遮光板に固定する第１位置決め構造を更に備え、前記第１位置決め構造は、前記第１固定部と前記遮光板とのうちの一方に設けられる第１位置決め部材と、前記第１固定部と前記遮光板とのうちの他方に設けられる第１固定保持部材とを備え、前記第１固定保持部材は、前記第１位置決め部材を固定保持する。
【０００６】
本発明の実施形態を従来技術に比べると、本発明の実施形態に係るレンズモジュールでは、第１レンズと遮光板との間に第１位置決め構造が設けられ、第１固定部と第２固定部とのそれぞれに第１固定保持部材および第１位置決め部材が設けられ、第１固定保持部材が第１位置決め部材を固定保持することで、第１レンズを遮光板に固定し、第１固定保持部材の固定保持作用により、第１レンズと遮光板との間の安定性および信頼性がより強くなる。
【０００７】
また、前記第１固定部は、前記遮光板に近接する第１表面を備え、前記遮光板は、前記第１表面に対向して設けられる第１遮光面を備え、前記第１位置決め部材は、前記第１遮光面と前記第１表面とのうちの一方に設けられ、前記第１固定保持部材は、前記第１遮光面と前記第１表面とのうちの他方に設けられている。
【０００８】
また、前記第１位置決め部材は、突起であり、前記第１固定保持部材は、前記突起に互いに係合する凹溝である。位置決め部材および固定保持部材が突起および凹溝として設けられることで、第１固定保持部材が第１位置決め部材を固定保持するため、構造が簡単であり、製造が便利になる。
【０００９】
また、前記突起は、前記第１固定部に設けられ、前記突起は、前記第１固定部に接続される接続部と、前記接続部の前記第１固定部から離間する端に位置する係止保持部と、前記接続部と前記係止保持部とを接続する中間部とを備え、前記レンズモジュールの光軸に垂直な方向に、前記係止保持部の幅は、前記中間部の幅より大きい。
【００１０】
また、前記凹溝は、前記遮光板の表面に近接する溝開口部と、前記溝開口部の前記遮光板の表面から離間する端に位置する溝底部と、前記溝開口部と前記溝底部とを接続する溝中部とを備え、前記係止保持部は、前記溝底部に収容され、前記接続部は、前記溝開口部に収容され、前記中間部は、前記溝中部に収容され、前記レンズモジュールの光軸に垂直な方向に、前記溝底部と前記係止保持部との幅は、何れも前記溝中部の幅より大きい。係止保持部が溝底部に収容され、中間部が溝中部に収容され、溝底部と係止保持部との幅が何れも前記溝中部の幅より大きいため、固定保持部材による位置決め部材への固定保持がより強固になるとともに、光軸方向に位置決め部材を係止保持可能であり、レンズと押え環との間の安定性および信頼性が更に向上する。
【００１１】
また、前記突起は、前記遮光板に設けられ、前記突起は、前記遮光板に接続される接続部と、前記接続部の前記遮光板から離間する端に位置する係止保持部と、前記接続部と前記係止保持部とを接続する中間部とを備え、前記レンズモジュールの光軸に垂直な方向に、前記係止保持部の幅は、前記中間部の幅より大きい。
【００１２】
また、前記凹溝は、前記第１固定部の表面に近接する溝開口部と、前記溝開口部の前記第１固定部の表面から離間する端に位置する溝底部と、前記溝開口部と前記溝底部とを接続する溝中部とを備え、前記係止保持部は、前記溝底部に収容され、前記接続部は、前記溝開口部に収容され、前記中間部は、前記溝中部に収容され、前記レンズモジュールの光軸に垂直な方向に、前記溝底部と前記係止保持部との幅は、何れも前記溝中部の幅より大きい。
【００１３】
また、前記レンズ群は、第２レンズを更に備え、前記第２レンズと前記第１レンズとは、前記遮光板の両側にそれぞれ位置し、前記第２レンズは、結像のための第２光学部と、前記第２光学部の周囲を取り囲む第２固定部とを備え、前記レンズモジュールは、前記第２レンズを前記遮光板に固定する第２位置決め構造を更に備え、前記第２位置決め構造は、前記第２固定部と前記遮光板とのうちの一方に設けられる第２位置決め部材と、前記第２固定部と前記遮光板とのうちの他方に設けられる第２固定保持部材とを備え、前記第２固定保持部材は、前記第２位置決め部材を固定保持する。第２位置決め構造によって第２レンズを遮光板に固定し、第２固定部と押え環とに第２固定保持部材および第２位置決め部材がそれぞれ設けられ、第２固定保持部材が第２位置決め部材を固定保持することで、第２レンズを押え環に固定するため、第２固定保持部材の固定保持作用により、第２レンズと押え環との間の安定性および信頼性がより強くなる。
【００１４】
また、前記第２固定部は、前記遮光板に近接する第２表面を備え、前記遮光板は、前記第２表面に対向して設けられる第２遮光面を備え、前記第２位置決め部材は、前記第２遮光面と前記第２表面とのうちの一方に設けられ、前記第２固定保持部材は、前記第２遮光面と前記第２表面とのうちの他方に設けられている。
【００１５】
また、前記第２位置決め部材は、突起であり、前記第２固定保持部材は、前記突起に互いに固定係合する凹溝である。
【図面の簡単な説明】
【００１６】
【図１】本発明の第１実施形態に係るレンズモジュールの断面構造模式図である。
【図２】図１におけるＡ部の局所拡大図である。
【図３】図１におけるＢ部の局所拡大図である。
【発明を実施するための形態】
【００１７】
本発明の目的、解決手段およびメリットがより明瞭になるように、以下では、図面を参照しながら本発明の各実施形態を詳細に説明する。本発明の各実施形態において本発明をよりよく理解するために多くの技術的詳細を述べることは、当業者に理解され得る。しかし、これらの技術的詳細および以下の各実施形態に基づく様々な変更および修正がなくても、本発明の各請求項が保護請求する技術案も実現できる。
【００１８】
本発明の第１実施形態は、レンズモジュール１００に関し、図１、図２に示すように、当該レンズモジュール１００は、鏡筒１１およびレンズ群１２を備え、鏡筒１１は、収容空間１３を有し、レンズ群１２は、収容空間１３内に収容され、レンズ群１２は、第１レンズ１２１を備え、第１レンズ１２１の像側には、遮光板１４が設けられ、遮光板１４は、第１レンズ１２１に隣接するように設けられ、第１レンズ１２１は、結像のための第１光学部１２１１と、第１光学部１２１１の周囲を取り囲む第１固定部１２１２とを備え、レンズモジュール１００は、第１レンズ１２１を遮光板１４に固定する第１位置決め構造１５を更に備え、第１位置決め機構１５は、第１位置決め部材１５１と、第１位置決め部材１５１を固定保持する第１固定保持部材１５２とを備え、第１位置決め部材１５１は、第１固定部１２１２と遮光板１４とのうちの一方に設けられ、第１固定保持部材１５２は、第１固定部１２１２と遮光板１４とのうちの他方に設けられている。
【００１９】
従来技術よりも、本発明の第１実施形態に係るレンズモジュール１００では、第１位置決め構造１５が設けられ、第１位置決め構造１５における第１固定保持部材１５２によって第１位置決め部材１５１を固定保持し、第１固定保持部材１５２と第１位置決め部材１５１とが単独で第１レンズ１２１と遮光板１４にそれぞれ設けられるため、第１固定保持部材１５２が第１位置決め部材１５１を固定保持すると同時に、第１レンズ１２１も遮光板１４に固定保持し、第１固定保持部材１５２の第１位置決め部材１５１に対する固定保持作用により、第１レンズ１２１と遮光板１４との間の安定性および信頼性がより強くなる。
【００２０】
具体的に、本実施形態では、第１固定部１２１２は、遮光板１４に近接する第１表面１２１ａを備え、遮光板１４は、第１表面１２１ａに対向して設けられる第１遮光面１４１を備え、第１位置決め部材１５１は、第１表面１２１ａと第１遮光面１４１とのうちの一方に設けられ、第１固定保持部材１５２は、第１表面１２１ａと第１遮光面１４１とのうちの他方に設けられている。
【００２１】
更に、本実施形態では、第１位置決め部材１５１は、突起であり、第１固定保持部材１５２は、突起に互いに係合する凹溝である。所謂互いに係合するとは、突起と凹溝との形状が同じであり、サイズも同じであり、突起が凹溝内に嵌め込んで安定的に係止可能であることを指す。これにより、第１固定保持部材１５２と第１位置決め部材１５１とが相対的に固定され、突起および凹溝のこれらの簡単の構造により、第１固定保持部材１５２が第１位置決め部材１５１を固定保持可能であり、構造が簡単であり、製造が便利になる。
【００２２】
更更に、本実施形態では、第１位置決め部材１５１（即ち、突起）は、第１固定部１２１２に設けられ、第１位置決め部材１５１は、第１固定部１２１２に接続される接続部１５１ａと、接続部１５１ａの第１レンズ１２１から離間する端に位置する係止保持部１５１ｂと、係止保持部１５１ｂと接続部１５１ａとを接続する中間部１５１ｃとを備える。レンズモジュール１００の光軸ＯＯ’に垂直な方向における係止保持部１５１ｂの幅は、光軸ＯＯ’に垂直な方向における中間部１５１ｃの幅より大きい。
【００２３】
また、本実施形態では、第１位置決め部材１５１は、第１固定部１２１２に設けられ、第１固定保持部材１５２は、遮光板１４に設けられ、第１固定保持部材１５２（即ち、凹溝）は、遮光板１４の表面に近接する溝開口部１５２ａと、溝開口部１５２ａの遮光板１４の表面から離間する端に位置する溝底部１５２ｂと、溝開口部１５２ａと溝底部１５２ｂとを接続する溝中部１５２ｃとを備え、係止保持部１５１ｂは、溝底部１５２ｂに収容され、接続部１５１ａは、溝開口部１５２ａに収容され、中間部１５１ｃは、溝中部１５２ｃに収容され、溝底部１５２ｂと係止保持部１５１ｂとは、両者とも光軸ＯＯ’に垂直な方向における幅が何れも溝中部１５２ｃの光軸ＯＯ’に垂直な方向における幅より大きい。係止保持部１５１ｂを溝底部１５２ｂに収容し、接続部１５１ａを溝開口部１５２ａに収容し、中間部１５１ｃを溝中部１５２ｃに収容し、且つ溝底部１５２ｂと係止保持部１５１ｂとの幅を何れも溝中部１５２ｃの幅より大きくすることで、第１固定保持部材１５２も、光軸ＯＯ’方向において第１位置決め部材１５１を固定保持可能であり、第１レンズ１２１と遮光板１４との光軸ＯＯ’方向に沿う相対移動が防止され、第１レンズ１２１と遮光板１４との間の安定性および信頼性が更に向上する。
【００２４】
理解できるように、本実施形態において、第１位置決め部材１５１が第１固定部１２１２に設けられ、且つ第１固定保持部材１５２が遮光板１４に設けられることは、単に第１位置決め部材１５１と第１固定保持部材１５２との一種の設置位置に過ぎず、本発明の他の実施形態において、第１固定保持部材１５２が第１固定部１２１２に設けられ、かつ第１位置決め部材１５１が遮光板１４に設けられることも可能であり、第１固定保持部材１５２と第１位置決め部材１５１の具体的な構造を変更しないままで、依然として同様な技術的効果を奏することができる。実際の生産過程において、第１位置決め部材１５１と第１固定保持部材１５２との具体的な配置位置は、実際の需要に応じて選択されてもよい。
【００２５】
本実施形態では、レンズ群１２は、第２レンズ１２２を更に備える。理解できるように、レンズ群１２は、他のレンズを備えてもよく、図１におけるレンズ１２３、レンズ１２４に示すように、第２レンズ１２２と第１レンズ１２１は、遮光板１４の両側にそれぞれ位置し、本実施形態において、第１レンズ１２１は、遮光板１４の物体側に位置し、第２レンズ１２２は、遮光板１４の像側に位置する。説明すべきことは、本発明の他の実施形態において、第１レンズ１２１が遮光板１４の像側に位置し、第２レンズ１２２が遮光板１４の物体側に位置することも可能である。第２レンズ１２２は、結像のための第２光学部１２２１と、第２光学部１２２１の周囲を取り囲む第２固定部１２２２とを備え、レンズモジュール１００は、第２レンズ１２２を遮光板１４に固定する第２位置決め構造１６を更に備え、第２位置決め機構１６は、第２位置決め部材１６１と、第２位置決め部材１６１を固定保持する第２固定保持部材１６２とを備え、第２位置決め部材１６１は、第２固定部１２２２と遮光板１４とのうちの一方に設けられ、第２固定保持部材１６２は、第２固定部１２２２と遮光板１４とのうちの他方に設けられている。第２固定保持部材１６２による第２位置決め部材１６１への固定保持作用により、第２レンズ１２２が遮光板１４に固定されるため、第２レンズ１２２と押え環１４との間の安定性および信頼性がより強くなる。
【００２６】
具体的に、本実施形態では、第２固定部１２２２は、遮光板１４に近接する第２表面１２２ａを備え、遮光板１４は、第２表面１２２ａに対向して設けられる第２遮光面１４２を備え、第２位置決め部材１６１は、第２表面１２２ａと第２遮光面１４２とのうちの一方に設けられ、第２固定保持部材１６２は、第２表面１２２ａと第２遮光面１４２とのうちの他方に設けられている。
【００２７】
更に、本実施形態では、第２位置決め部材１６１は、突起であり、第２固定保持部材１６２は、突起に互いに係合する凹溝である。所謂互いに係合するとは、突起と凹溝との形状が同じであり、サイズも同じであり、突起が凹溝内に嵌め込んで安定的に係止可能であることを指す。これにより、第２固定保持部材１６２と第２位置決め部材１６１とが相対的に固定され、突起および凹溝のこれらの簡単の構造により、第２固定保持部材１６２が第２位置決め部材１６１を固定保持可能であり、構造が簡単であり、製造が便利になる。
【００２８】
説明すべきことは、実際の生産中に、誤差の存在により、絶対の平行と絶対の垂直とがあえて存在しないため、本明細書における平行と垂直等の限定的用語が本発明の技術的効果を奏し得る略平行と略垂直も含む。
【００２９】
上記各実施形態が本発明を実施する具体的な実施例であり、実際の応用において本発明の精神および範囲を逸脱せずに形態および詳細について様々な変更を行なうことが可能であることは、当業者に理解され得る。
【図１】
2020021058.tif 000003
【図２】
2020021058.tif 000004
【図３】
2020021058.tif 000005